(57)【要約】      （修正有）【課題】多種のデータを扱うことなく、発電量を予測する精度を向上させることが可能である発電量予測装置、発電量予測システム、発電量予測方法及び発電量予測プログラムを提供する。【解決手段】発電量予測装置１１は、発電量・日射量実績日射量区分部１１０１と、発電効率算出・判定部１１０２と、発電効率係数算出部１１０３と、予測日射量区分判定部１１０４と、発電量予測部１１０５とを持つ。発電量・日射量実績日射量区分部は、日射量実績値の集合を複数の日射量区分に区分する。発電効率算出・判定部は、日射量実績値ごとに発電効率を取得する。発電効率係数算出部は、発電効率に基づいて日射量区分ごとに係数を取得する。予測日射量区分判定部は、日射量予測値が含まれている日射量区分がいずれの日射量区分であるかを判定する。発電量予測部は、日射量予測値が含まれている日射量区分の係数と日射量予測値とに基づいて発電量予測値を取得する。【選択図】図１
2019091335.tif 000002
【特許請求の範囲】
【請求項１】
日射量実績値の集合を複数の日射量区分に区分する区分部と、
前記日射量実績値ごとに発電効率を取得する発電効率取得部と、
前記発電効率に基づいて前記日射量区分ごとに係数を取得する係数取得部と、
日射量予測値が含まれている前記日射量区分がいずれの前記日射量区分であるかを判定する区分判定部と、
前記日射量予測値が含まれている前記日射量区分の前記係数と前記日射量予測値とに基づいて発電量予測値を取得する予測部と
を備える発電量予測装置。
【請求項２】
前記日射量実績値は、第１の時間ごとの日射量の実績値である、請求項１に記載の発電量予測装置。
【請求項３】
前記日射量実績値は、第２の時間ごとの日射量の複数の実績値の平均値である、請求項１に記載の発電量予測装置。
【請求項４】
前記区分判定部は、前記発電効率の有効範囲から外れた前記発電効率を示す前記日射量実績値を、前記日射量実績値の集合から除外する、請求項１から請求項３のいずれか一項に記載の発電量予測装置。
【請求項５】
前記係数取得部は、予め定められた個数以上の前記発電効率に基づいて、前記日射量区分ごとに前記係数を取得する、請求項１から請求項４のいずれか一項に記載の発電量予測装置。
【請求項６】
前記予測部は、前記日射量区分の前記係数を含む式と前記日射量予測値とに基づいて発電量予測値を取得する、請求項１から請求項４のいずれか一項に記載の発電量予測装置。
【請求項７】
日射量実績値の集合を複数の日射量区分に区分する区分部と、
前記日射量実績値ごとに発電効率を取得する発電効率取得部と、
前記発電効率に基づいて前記日射量区分ごとに係数を取得する係数取得部と、
日射量予測値が含まれている前記日射量区分がいずれの前記日射量区分であるかを判定する区分判定部と、
前記日射量予測値が含まれている前記日射量区分の前記係数と前記日射量予測値とに基づいて発電量予測値を取得する予測部と、
前記発電量予測値に基づく制御信号に応じて蓄電する蓄電池と
を備える発電量予測システム。
【請求項８】
発電量予測装置が実行する発電量予測方法であって、
日射量実績値の集合を複数の日射量区分に区分するステップと、
前記日射量実績値ごとに発電効率を取得するステップと、
前記発電効率に基づいて前記日射量区分ごとに係数を取得するステップと、
日射量予測値が含まれている前記日射量区分がいずれの前記日射量区分であるかを判定するステップと、
前記日射量予測値が含まれている前記日射量区分の前記係数と前記日射量予測値とに基づいて発電量予測値を取得するステップと
を含む発電量予測方法。
【請求項９】
コンピュータに、
日射量実績値の集合を複数の日射量区分に区分する手順と、
前記日射量実績値ごとに発電効率を取得する手順と、
前記発電効率に基づいて前記日射量区分ごとに係数を取得する手順と
日射量予測値が含まれている前記日射量区分がいずれの前記日射量区分であるかを判定する手順と、
前記日射量予測値が含まれている前記日射量区分の前記係数と前記日射量予測値とに基づいて発電量予測値を取得する手順と
を実行させるための発電量予測プログラム。
【発明の詳細な説明】
【技術分野】
【０００１】
本発明の実施形態は、発電量予測装置、発電量予測システム、発電量予測方法及び発電量予測プログラムに関する。
【背景技術】
【０００２】
太陽光発電（PV：Photovoltaic）システムの発電量は、太陽光発電システムの発電効率と、電力の出力先である機器の状態とに応じて変化する。発電量予測装置は、太陽光発電システムの発電量を予測する場合がある。しかしながら、従来の発電量予測装置は、太陽位置気象補正係数、エリア気象環境係数、ＰＶシステム係数等の多種のデータを扱わなければ、発電量を精度よく予測することができない場合があった。
【先行技術文献】
【特許文献】
【０００３】
【特許文献１】特開２０１４−０６３３７２号公報
【特許文献２】特開２０１４−２１７０９２号公報
【特許文献３】特開２０１５−０７０６４０号公報
【特許文献４】特開２０１６−１２３１７０号公報
【特許文献５】特開２０１６−１３６８０７号公報
【非特許文献】
【０００４】
【非特許文献１】D. King, W. Boyson, and J. Kratochvil, Photovoltaic Array Performance Model, SAND2004-3535, Sandia National Laboratories, Albuquerque, NM, December 2004.
【発明の概要】
【発明が解決しようとする課題】
【０００５】
本発明が解決しようとする課題は、多種のデータを扱うことなく、発電量を予測する精度を向上させることが可能である発電量予測装置、発電量予測システム、発電量予測方法及び発電量予測プログラムを提供することである。
【課題を解決するための手段】
【０００６】
実施形態の発電量予測装置は、区分部と、発電効率取得部と、係数取得部と、区分判定部と、予測部とを持つ。区分部は、日射量実績値の集合を複数の日射量区分に区分する。発電効率取得部は、日射量実績値ごとに発電効率を取得する。係数取得部は、発電効率に基づいて日射量区分ごとに係数を取得する。区分判定部は、日射量予測値が含まれている日射量区分がいずれの日射量区分であるかを判定する。予測部は、日射量予測値が含まれている日射量区分の係数と日射量予測値とに基づいて発電量予測値を取得する。
【図面の簡単な説明】
【０００７】
【図１】第１の実施形態の発電量予測システムの構成の例を示す図。
【図２】第１の実施形態の日射量の判定ラインの例を示す図。
【図３】第１の実施形態の発電効率の判定ラインの例を示す図。
【図４】第１の実施形態の発電効率の算出の例を示す図。
【図５】第１の実施形態の発電効率に関する係数の例を示す図。
【図６】第１の実施形態の発電量予測装置の動作の例を示すフローチャート。
【図７】第２の実施形態の発電効率の算出の例を示す図。
【図８】第２の実施形態の発電量の予測値を表す近似式の例を示す図。
【図９】第２の実施形態の日射量の区分の例を示す図。
【図１０】第２の実施形態の発電量の予測値の例を示す図。
【図１１】第２の実施形態の時間帯ごとの発電量の予測値の例を示す図。
【発明を実施するための形態】
【０００８】
以下、実施形態の発電量予測装置、発電量予測システム、発電量予測方法及び発電量予測プログラムを、図面を参照して説明する。
【０００９】
図１は、発電量予測システム１０の構成の例を示す図である。発電量予測システム１０は、エネルギー機器最適運用システム１と、太陽光発電設備２と、気象情報提供設備３と、エネルギー設備４と、蓄電池設備５とを備える。エネルギー機器最適運用システム１は、例えば、分散電源ＥＭＳ（Energy Management System）である。エネルギー機器最適運用システム１は、発電量の予測値に基づく制御信号を生成する。エネルギー機器最適運用システム１は、太陽光発電設備２、エネルギー設備４及び蓄電池設備５に、制御信号を出力する。以下において「取得する」とは、効率や係数等の値をデータテーブルから取得するという意味でもよいし、効率や係数等の値を算出するという意味でもよい。
【００１０】
太陽光発電設備２は、太陽光を用いて発電する設備である。太陽光発電設備２の発電量は、太陽光発電システムの発電効率と、電力の出力先であるエネルギー設備の機器の状態等とに応じて変化する。太陽光発電システムの発電効率は、日射量に応じて変化する。エネルギー設備の機器の状態とは、例えば、電力を消費する機器の動作状態や、パワーコンディショナの変換効率である。
【００１１】
気象情報提供設備３は、気象情報を提供する設備である。気象情報は、例えば、日射量予報、風の強さの予報である。気象情報提供設備３は、日射量の予測値である日射量予報データを、気象情報に基づいて生成する。気象情報提供設備３は、日射量予報データをエネルギー機器最適運用システム１に提供する。
【００１２】
エネルギー設備４は、電力や燃料等のエネルギーを消費する設備である。エネルギー設備４は、電力等のエネルギーを消費する機器を備える。エネルギー設備４の機器は、エネルギー機器最適運用システム１から出力された制御信号に応じて、電力等のエネルギーを消費する。
【００１３】
蓄電池設備５は、リチウムイオン電池等の蓄電池を備える設備である。蓄電池は、エネルギー機器最適運用システム１から取得された制御信号に応じて、太陽光発電設備２によって発電された電力を蓄積する。蓄電池は、エネルギー機器最適運用システム１から取得された制御信号に応じて、エネルギー設備４に電力を出力する。
【００１４】
次に、エネルギー機器最適運用システム１の構成の例を説明する。
エネルギー機器最適運用システム１は、発電量予測装置１１と、入出力部１２と、発電量・日射量実績収集部１３と、気象情報収集部１４と、エネルギー機器計画部１５と、エネルギー機器制御部１６と、エネルギー機器運用パターン記憶部１７とを備える。
【００１５】
発電量予測装置１１は、発電量を予測する情報処理装置である。発電量予測装置１１は、太陽光発電設備２による発電量を、日射量予報に基づいて予測する。発電量予測装置１１は、時間単位の発電量の予測値を表す発電量予測データを、エネルギー機器計画部１５に出力する。
【００１６】
以下、予測に用いられる日射量の上限閾値を「日射量上限判定ライン」という。以下、予測に用いられる日射量の下限閾値を「日射量下限判定ライン」という。
【００１７】
入出力部１２は、キーボード、マウス、タッチパネル等の操作デバイスである。入出力部１２は、データを送信及び受信する通信装置でもよい。入出力部１２は、日射量の区分を表す日射量区分データと、日射量上限判定ラインと、日射量下限判定ラインと、発電効率に関する係数（固定値）を算出するために必要とされる発電効率データの個数データとを取得する。入出力部１２は、日射量区分データと、日射量上限判定ラインと、日射量下限判定ラインと、発電効率データの個数データとを、発電量予測装置１１に出力する。
【００１８】
発電量・日射量実績収集部１３は、太陽光発電設備２における発電量の実績値である発電量実績データを、所定周期で太陽光発電設備２から収集する。発電量・日射量実績収集部１３は、太陽光発電設備２における日射量の実績値である日射量実績データを、太陽光発電設備２から収集する。日射量実績データが１時間ごとに収集されており、予測対象の時間帯が９時から１７時までであり、予測に使う実績日数が３０日分の日射量実績データが取得されている場合、収集される日射量実績データの個数は、２４０（＝８×３０）個である。発電量・日射量実績収集部１３は、発電量実績データ及び日射量実績データを、発電量予測装置１１に出力する。日射量実績データは、数分間ごとの日射量の複数の実績値の平均値でもよい。
【００１９】
気象情報収集部１４は、気象情報を気象情報提供設備３から収集する。気象情報収集部１４は、日射量予報データを含む気象情報を、発電量予測装置１１に出力する。
エネルギー機器計画部１５は、発電量予測データを発電量予測装置１１から取得する。エネルギー機器計画部１５は、エネルギー設備４の機器の運用パターンを表す運用パターン情報を、発電量予測データに基づいて生成する。
【００２０】
エネルギー機器制御部１６は、エネルギー設備４の機器の動作を制御するための制御信号を、運用パターン情報に基づいて生成する。エネルギー機器制御部１６は、エネルギー設備４に制御信号を出力する。
エネルギー機器運用パターン記憶部１７は、エネルギー設備４の機器の運用パターン情報を記憶する。
【００２１】
次に、発電量予測装置１１の構成の例を説明する。
発電量予測装置１１は、発電量・日射量実績日射量区分部１１０１と、発電効率算出・判定部１１０２と、発電予測可否判定・発電効率係数算出部１１０３と、予測日射量区分判定部１１０４と、発電量予測部１１０５と、日射量区分データ記憶部１１０６と、発電量・日射量実績データ記憶部１１０７と、発電量・日射量実績・日射量区分データ記憶部１１０８と、発電効率上下限データ記憶部１１０９と、実績データ単位発電効率データ記憶部１１１０と、発電予測可否判定データ記憶部１１１１と、日射量区分別発電効率係数記憶部１１１２と、日射量予報データ記憶部１１１３と、日射量予報日射量区分データ記憶部１１１４と、予測発電量データ記憶部１１１５とを備える。
【００２２】
各機能部のうち一部又は全部は、例えば、ＣＰＵ（Central Processing Unit）等のプロセッサが、プログラムを実行することにより実現される。各機能部のうち一部又は全部は、ＬＳＩ（Large Scale Integration）やＡＳＩＣ（Application Specific Integrated Circuit）等のハードウェアを用いて実現されてもよい。また、各機能部は、クラウド技術によって複数の情報処理装置に分散されていてもよい。
【００２３】
各記憶部は、フラッシュメモリ、ＨＤＤ（Hard Disk Drive）などの不揮発性の記憶媒体（非一時的な記憶媒体）を有する。各記憶部は、例えば、ＲＡＭ（Random Access Memory）やレジスタなどの揮発性の記憶媒体を有していてもよい。
【００２４】
発電量・日射量実績日射量区分部１１０１は、発電量実績データ及び日射量実績データを、発電量・日射量実績データ記憶部１１０７から取得する。発電量・日射量実績日射量区分部１１０１は、日射量実績データが表す日射量の実績値の有効範囲を、複数の日射量区分に区分する。
【００２５】
図２は、日射量の判定ラインの例を示す図である。横軸は、所定時間帯において測定された日射量実績データの瞬時値を表す。所定時間帯の長さは、例えば、数分間、３０分間、１時間である。以下では、所定時間帯の長さは、一例として１時間である。縦軸は、同じ所定時間帯において発電された電力量（発電電力量）を表す。以下に示す図２、図３、図４、図７における各横軸は、瞬時値の平均値を表してもよく、例えば、時刻ＸＸ：００から時刻ＸＸ：３０までの発電量に対して、時刻ＸＸ：００と時刻ＸＸ：３０との２点の瞬時値の平均値を表してもよい。
【００２６】
発電量・日射量実績日射量区分部１１０１は、日射量上限判定ラインから日射量下限判定ラインまでの日射量の実績値の範囲を表す有効範囲データと、区分の一例としての「区分１」から「区分５」までの各日射量区分を表す日射量区分データとを、日射量区分データ記憶部１１０６から取得する。発電量・日射量実績日射量区分部１１０１は、日射量の実績値の有効範囲に含まれない日射量実績データを除外する。
【００２７】
発電量・日射量実績日射量区分部１１０１は、日射量区分データに基づいて、日射量の実績値の有効範囲を複数の日射量区分に区分する。図２では、発電量・日射量実績日射量区分部１１０１は、区分の一例としての「区分１」から「区分５」までの日射量区分に、日射量の実績値の有効範囲を区分する。
【００２８】
発電効率算出・判定部１１０２は、発電量実績データ及び日射量実績データを、発電量・日射量実績・日射量区分データ記憶部１１０８から取得する。発電効率算出・判定部１１０２は、有効範囲データ及び日射量区分データを、発電量・日射量実績・日射量区分データ記憶部１１０８から取得する。
【００２９】
発電効率算出・判定部１１０２は、発電量実績データ及び日射量実績データに基づいて、太陽光発電設備２の発電効率を日射量実績データごとに算出する。発電効率算出・判定部１１０２は、発電効率データを日射量実績データごとに、実績データ単位発電効率データ記憶部１１１０に記録する。
【００３０】
以下、予測に用いられる発電効率の上限閾値を「発電効率上限判定ライン」という。以下、予測に用いられる発電効率の下限閾値を「発電効率下限判定ライン」という。
【００３１】
図３は、発電効率の判定ラインの例を示す図である。発電効率算出・判定部１１０２は、発電効率上限判定ラインから発電効率下限判定ラインからまでの発電効率の有効範囲に発電効率データが含まれているか否かを、日射量実績データごとに判定する。発電効率算出・判定部１１０２は、発電効率の有効範囲に含まれていない発電効率データの日射量実績データを、予測に用いられる発電効率の日射量実績データの集合から除外する。
【００３２】
発電予測可否判定・発電効率係数算出部１１０３は、発電効率に関する係数を算出するために必要とされる発電効率データの個数データを、発電予測可否判定データ記憶部１１１１から取得する。発電予測可否判定・発電効率係数算出部１１０３は、個数データが表す個数以上の発電効率データを、実績データ単位発電効率データ記憶部１１１０から取得する。
【００３３】
発電予測可否判定・発電効率係数算出部１１０３は、発電効率に関する係数を算出するために必要とされる個数以上の発電効率データを取得したか否かを、「区分１」から「区分５」までの日射量区分ごとに判定する。発電予測可否判定・発電効率係数算出部１１０３は、発電効率に関する係数を算出するために必要とされる個数以上の発電効率データを取得した場合、日射量区分における発電効率に関する係数を算出する。発電予測可否判定・発電効率係数算出部１１０３は、発電効率に関する係数を算出した場合、発電量の予測が可能であると判定する。
【００３４】
図４は、発電効率の算出の例を示す図である。発電予測可否判定・発電効率係数算出部１１０３は、日射量区分ごとの発電効率に基づいて、発電量の予測に用いられる発電効率に関する係数を日射量区分ごとに算出する。日射量上限判定ラインから日射量下限判定ラインまでの日射量の実績値の範囲を表す有効範囲では、発電効率に関する係数は、日射量に応じて非線形に変化する。発電予測可否判定・発電効率係数算出部１１０３は、日射量の実績値の有効範囲において日射量に応じて非線形に変化する発電効率に関する係数を、日射量区分ごとの発電効率に関する係数に置き換える。
【００３５】
発電予測可否判定・発電効率係数算出部１１０３は、日射量区分ごとの複数の発電効率に基づいて、発電効率に関する係数を日射量区分ごとに算出する。例えば、発電予測可否判定・発電効率係数算出部１１０３は、日射量区分ごとの複数の発電効率の実績値の平均値に基づいて、発電効率に関する係数を日射量区分ごとに算出する。発電予測可否判定・発電効率係数算出部１１０３は、日射量区分ごとの発電効率に関する係数を、日射量区分別発電効率係数記憶部１１１２に記録する。
【００３６】
図５は、発電効率に関する係数の例を示す図である。図５では、日射量区分「区分１」の発電効率に関する係数は、「１．９３９８」である。日射量区分「区分１」に対応付けられている式は、「ｙ＝１．９３９８ｘ」である。第１実施形態では、式のｙ切片は０である。
【００３７】
図１に戻り、発電量予測装置１１の構成の説明を続ける。予測日射量区分判定部１１０４は、予測対象の時間帯における日射量予報データが表す日射量の予測値ｘがいずれの日射量区分に含まれているかを判定する。発電量予測部１１０５は、日射量の予測値ｘが含まれている日射量区分の発電効率に関する係数と日射量予報データとに基づいて、予測対象の時間帯における発電量の予測値ｙを算出する。予測対象の時間帯における日射量予報データが表す日射量の予測値ｘが日射量区分「区分１」に含まれている場合、発電量予測部１１０５は、日射量区分「区分１」の発電効率に関する係数「１．９３９８」を日射量の予測値ｘに乗算することによって、予測対象の時間帯における発電量の予測値ｙ（＝１．９３９８ｘ）を算出する。
【００３８】
なお、発電量予測部１１０５は、式を用いて発電量の予測値ｙを算出する代わりに、発電量の予測値ｙと日射量予報データが表す日射量の実績値ｘとの関係を表すデータテーブルを参照することによって、データテーブルから発電量ｙを取得してもよい。データテーブルは、例えば、日射量区分別発電効率係数記憶部１１１２に記憶される。
【００３９】
日射量区分データ記憶部１１０６は、入出力部１２の出力に基づいて、有効範囲データと日射量区分データとを記憶する。
【００４０】
発電量・日射量実績データ記憶部１１０７は、例えば３０分間ごとの発電量実績データ及び日射量実績データを、発電量・日射量実績収集部１３から取得する。発電量・日射量実績データ記憶部１１０７は、発電量実績データ及び日射量実績データを記憶する。
【００４１】
発電量・日射量実績・日射量区分データ記憶部１１０８は、日射量の有効範囲に含まれている日射量実績データを、３０分間等の時間単位で記憶する。発電量・日射量実績・日射量区分データ記憶部１１０８は、発電量・日射量実績日射量区分部１１０１から出力された日射量区分データを記憶する。
【００４２】
発電効率上下限データ記憶部１１０９は、発電効率の有効範囲データを記憶する。
実績データ単位発電効率データ記憶部１１１０は、発電効率データを発電量実績データごとに記憶する。
発電予測可否判定データ記憶部１１１１は、発電効率に関する係数を算出するために必要とされる発電効率データの個数データ（必要数データ）を記憶する。
【００４３】
日射量区分別発電効率係数記憶部１１１２は、発電効率に関する係数データを日射量区分ごとに記憶する。
日射量予報データ記憶部１１１３は、所定時間帯の日射量予報データを、例えば１時間等の時間単位で記憶する。
日射量予報日射量区分データ記憶部１１１４は、例えば１時間等の時間単位の日射量予報データを、日射量区分データごとに記憶する。
予測発電量データ記憶部１１１５は、例えば１時間等の時間単位の発電量予測データを、発電量予測部１１０５から取得する。予測発電量データ記憶部１１１５は、時間単位の発電量予測データを記憶する。
【００４４】
次に、発電量予測装置１１の動作の例を説明する。
図６は、発電量予測装置１１の動作の例を示すフローチャートである。発電量・日射量実績日射量区分部１１０１及び発電効率算出・判定部１１０２は、予測に用いられる日射量実績データの数だけ、ステップＳ１０１からステップＳ１０２までの手順を、日射量実績データごとに繰り返す。発電量・日射量実績日射量区分部１１０１は、日射量の実績値の有効範囲に含まれない日射量実績データを除外する（ステップＳ１０１）。発電効率算出・判定部１１０２は、発電量実績データ及び日射量実績データに基づいて、太陽光発電設備２の発電効率を日射量実績データごとに算出する。発電効率算出・判定部１１０２は、発電効率の有効範囲に含まれていない発電効率データの日射量実績データを、予測に用いられる発電効率の日射量実績データの集合から除外する（ステップＳ１０２）。
【００４５】
発電予測可否判定・発電効率係数算出部１１０３は、発電効率に関する係数を算出するために必要とされる個数以上の発電効率データを取得したか否かを、日射量区分ごとに判定する（ステップＳ１０３）。発電予測可否判定・発電効率係数算出部１１０３は、発電効率に関する係数を算出するために必要とされる個数以上の発電効率データを取得した場合、日射量区分における発電効率に関する係数を算出する（ステップＳ１０４）。
【００４６】
予測日射量区分判定部１１０４及び発電量予測部１１０５は、予測対象日における予測対象の時間帯の個数だけ、ステップＳ１０５からステップＳ１０６までの手順を、予測対象の時間帯ごとに繰り返す。予測日射量区分判定部１１０４は、予測対象の時間帯における日射量予報データが表す日射量の予測値ｘがいずれの日射量区分に含まれているかを判定する（ステップＳ１０５）。発電量予測部１１０５は、日射量の予測値ｘが含まれている日射量区分の発電効率に関する係数と日射量予報データとに基づいて、予測対象の時間帯における発電量の予測値ｙを算出する（ステップＳ１０６）。
【００４７】
以上のように、第１の実施形態の発電量予測装置１１は、発電量・日射量実績日射量区分部１１０１と、発電効率算出・判定部１１０２と、発電予測可否判定・発電効率係数算出部１１０３と、予測日射量区分判定部１１０４と、発電量予測部１１０５とを持つ。発電量・日射量実績日射量区分部１１０１は、日射量実績データの集合を複数の日射量区分に区分する。発電効率算出・判定部１１０２は、日射量実績データごとに発電効率を取得する。発電予測可否判定・発電効率係数算出部１１０３は、発電効率に基づいて日射量区分ごとに係数を取得する。予測日射量区分判定部１１０４は、日射量予測データが含まれている日射量区分がいずれの日射量区分であるかを判定する。発電量予測部１１０５は、日射量予測データが含まれている日射量区分の係数と日射量予測データとに基づいて。発電量の予測値を取得する。
【００４８】
これにより、第１の実施形態の発電量予測装置１１は、多種のデータを扱うことなく、発電量を予測する精度を向上させることが可能である。
【００４９】
第１の実施形態の発電量予測装置１１は、日射量区分に区分せずに日射量の有効範囲の全体で発電効率を算出する場合と比較して、発電効率を精度よく算出することができるので、発電量を予測する精度を向上させることが可能である。第１の実施形態の発電量予測装置１１は、日射量に対して非線形である発電効率に関する係数を精度よく算出することができるので、発電量を予測する精度を向上させることが可能である。
【００５０】
（第２の実施形態）
第２の実施形態では、日射量区分ごとの固定値である発電効率の平均値を発電量予測部１１０５が用いる代わりに、発電効率の近似式を用いて発電量予測部１１０５が発電量を算出する点が、第１の実施形態と相違する。第２の実施形態では、第１の実施形態との相違点についてのみ説明する。
【００５１】
図７は、発電効率の算出の例を示す図である。発電予測可否判定・発電効率係数算出部１１０３は、日射量区分ごとの発電効率に基づいて、発電量の予測に用いられる発電効率を表す近似式の係数及び切片を、日射量区分ごとに算出する。
【００５２】
図８は、発電量の予測値を表す近似式の例を示す図である。図８では、日射量区分「区分１」に対応付けられている一次近似式は、「ｙ＝１．９５４５ｘ−２．９６４５」である。第２実施形態では、発電量に関する式のｙ切片は０でなくてもよい。
【００５３】
図９は、日射量の区分の例を示す図である。予測日射量区分判定部１１０４は、予測対象の時間帯における日射量予報データが表す日射量の予測値ｘがいずれの日射量区分に含まれているかを判定する。図９では、日射量予報データが表す日射量は、一例として６８９．５Ｗ／ｍ２であり、「区分３」に含まれている。
【００５４】
図１０は、発電量の予測値の例を示す図である。発電量予測部１１０５は、日射量の予測値ｘが含まれている日射量区分の発電効率に関する係数と日射量予報データとに基づいて、予測対象の時間帯における発電量の予測値ｙを算出する。予測対象の時間帯における日射量予報データが表す日射量の予測値ｘが日射量区分「区分３」に含まれている場合、発電量予測部１１０５は、日射量区分「区分３」に対応付けられた一次近似式「ｙ＝２．１２５９ｘ−１９７．５４」に基づいて、予測対象の時間帯における発電量の予測値ｙを算出する。
【００５５】
図１１は、時間帯ごとの発電量の予測値の例を示す図である。１４時から１５時までの時間帯における日射量の予測値ｘが６８９．５Ｗ／ｍ２である場合、予測日射量区分判定部１１０４は、予測対象の時間帯における日射量予報データが表す日射量の予測値ｘが日射量区分「区分３」に含まれていると判定する。発電量予測部１１０５は、日射量区分「区分３」に対応付けられた一次近似式「ｙ＝２．１２５９ｘ−１９７．５４」に基づいて、予測対象の時間帯における発電量の予測値ｙを１２６８．３ｋＷｈと算出する。
【００５６】
以上のように、第２の実施形態の発電量予測装置１１は、発電量予測装置１１は、発電量・日射量実績日射量区分部１１０１と、発電効率算出・判定部１１０２と、発電予測可否判定・発電効率係数算出部１１０３と、予測日射量区分判定部１１０４と、発電量予測部１１０５とを持つ。発電量予測部１１０５は、日射量予測データが含まれている日射量区分の係数を含む近似式と日射量予測データとに基づいて。発電量の予測値を取得する。
【００５７】
これにより、第２の実施形態の発電量予測装置１１は、多種のデータを扱うことなく、発電量を予測する精度を向上させることが可能である。
【００５８】
以上述べた少なくともひとつの実施形態によれば、日射量予測データが含まれている日射量区分の係数と日射量予測データとに基づいて発電量の予測値を取得する発電量予測部とを持つことにより、多種のデータを扱うことなく、発電量を予測する精度を向上させることができる。
【００５９】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１…エネルギー機器最適運用システム、２…太陽光発電設備、３…気象情報提供設備、４…エネルギー設備、５…蓄電池設備、１０…発電量予測システム、１１…発電量予測装置、１２…入出力部、１３…発電量・日射量実績収集部、１４…気象情報収集部、１５…エネルギー機器計画部、１６…エネルギー機器制御部、１７…エネルギー機器運用パターン記憶部、１１０１…発電量・日射量実績日射量区分部、１１０２…発電効率算出・判定部、１１０３…発電予測可否判定・発電効率係数算出部、１１０４…予測日射量区分判定部、１１０５…発電量予測部、１１０６…日射量区分データ記憶部、１１０７…発電量・日射量実績データ記憶部、１１０８…発電量・日射量実績・日射量区分データ記憶部、１１０９…発電効率上下限データ記憶部、１１１０…実績データ単位発電効率データ記憶部、１１１１…発電予測可否判定データ記憶部、１１１２…日射量区分別発電効率係数記憶部、１１１３…日射量予報データ記憶部、１１１４…日射量予報日射量区分データ記憶部、１１１５…予測発電量データ記憶部
【図１】
2019091335.tif 000003
【図２】
2019091335.tif 000004
【図３】
2019091335.tif 000005
【図４】
2019091335.tif 000006
【図５】
2019091335.tif 000007
【図６】
2019091335.tif 000008
【図７】
2019091335.tif 000009
【図８】
2019091335.tif 000010
【図９】
2019091335.tif 000011
【図１０】
2019091335.tif 000012
【図１１】
2019091335.tif 000013